(57)【要約】【課題】通信相手として適切な１台の無線通信端末と排他的に無線通信を行うことができる無線基地局装置を提供する。【解決手段】無線基地局装置１００は、通信インタフェース部１１３と、通信制御部１１２とを備え、通信制御部１１２は、無線基地局装置１００と無線通信端末２０１との無線接続から所定接続期間経過までに、無線通信端末２０１に対する操作に従って送信される通信要求が受信された場合、無線基地局装置１００と無線通信端末２０１との無線通信を許可し、無線接続から所定接続期間経過までに、通信要求が受信されなかった場合、無線接続を切断し、無線通信が許可されている間、無線基地局装置１００と他の無線通信端末２０２との無線接続を禁止する。【選択図】図２
2019009717.tif 000002
【特許請求の範囲】
【請求項１】
無線通信を行う無線基地局装置であって、
無線信号の送受信を行う通信インタフェース部と、
前記通信インタフェース部を介して行われる無線通信を制御する通信制御部とを備え、
前記通信制御部は、
前記無線基地局装置と無線通信端末とが無線で接続されてから所定接続期間が経過するまでに、前記無線基地局装置と前記無線通信端末との無線通信の要求であり前記無線通信端末に対する操作に従って前記無線通信端末から送信される要求である通信要求が前記無線基地局装置で受信された場合、前記無線基地局装置と前記無線通信端末との無線通信を許可し、
前記無線基地局装置と前記無線通信端末とが無線で接続されてから前記所定接続期間が経過するまでに、前記通信要求が前記無線基地局装置で受信されなかった場合、前記無線基地局装置と前記無線通信端末との無線接続を切断し、
前記無線基地局装置と前記無線通信端末との無線通信が許可されている間、前記無線基地局装置と他の無線通信端末との無線接続を禁止する
無線基地局装置。
【請求項２】
前記通信制御部は、前記無線基地局装置と前記他の無線通信端末とが無線で接続されている場合に前記無線基地局装置と前記他の無線通信端末との無線接続を切断することにより、及び、前記無線基地局装置と前記他の無線通信端末とが無線で接続されていない場合に前記無線基地局装置と前記他の無線通信端末との新たな無線接続を拒否することにより、前記無線基地局装置と前記他の無線通信端末との無線接続を禁止する
請求項１に記載の無線基地局装置。
【請求項３】
前記通信制御部は、前記無線基地局装置と前記無線通信端末とが無線で接続されてから前記通信要求が前記無線基地局装置で受信されるまでの間、前記無線基地局装置と前記他の無線通信端末との無線接続を許可し、前記通信要求が前記無線基地局装置で受信されて、前記無線基地局装置と前記無線通信端末との無線通信を許可する際に、前記無線基地局装置と前記他の無線通信端末との無線接続の禁止を開始する
請求項１又は２に記載の無線基地局装置。
【請求項４】
前記通信制御部は、前記無線基地局装置と前記無線通信端末とが無線で接続される際に、前記無線基地局装置と前記他の無線通信端末との無線接続の禁止を開始する
請求項１又は２に記載の無線基地局装置。
【請求項５】
前記通信制御部は、さらに、前記所定接続期間が経過するまでに前記通信要求が前記無線基地局装置で受信されなかった場合、前記無線基地局装置と前記無線通信端末との無線接続の切断後、前記無線基地局装置と前記無線通信端末との新たな無線接続を拒否する
請求項１〜４のいずれか１項に記載の無線基地局装置。
【請求項６】
前記無線基地局装置は、さらに、前記無線基地局装置に対する操作を受け取る操作インタフェース部を備え、
前記通信制御部は、
前記無線基地局装置に対する操作が受け取られてから所定有効期間が経過するまで、前記無線基地局装置と前記無線通信端末との無線接続の開始処理を有効にし、
前記所定有効期間が経過した後、前記無線基地局装置と前記無線通信端末との無線接続の開始処理を無効にする
請求項１〜５のいずれか１項に記載の無線基地局装置。
【請求項７】
前記通信制御部は、
前記所定有効期間が経過するまで、前記無線基地局装置からビーコン及びプローブ応答のうち少なくとも一方を送信させることにより、前記無線基地局装置と前記無線通信端末との無線接続の開始処理を有効にし、
前記所定有効期間が経過した後、前記無線基地局装置からビーコン及びプローブ応答を送信させないことにより、前記無線基地局装置と前記無線通信端末との無線接続の開始処理を無効にする
請求項６に記載の無線基地局装置。
【請求項８】
前記通信制御部は、
前記無線基地局装置と前記無線通信端末との無線通信が許可されてから所定通信期間が経過した後、前記無線基地局装置と前記無線通信端末との無線接続を切断し、
前記無線基地局装置と前記無線通信端末との無線接続を切断する際、前記無線基地局装置と前記無線通信端末との無線通信の許可を解除し、前記無線基地局装置と前記他の無線通信端末との無線接続の禁止を解除する
請求項１〜７のいずれか１項に記載の無線基地局装置。
【請求項９】
請求項１〜８のいずれか１項に記載の無線基地局装置と、
前記無線通信端末とを備え、
前記無線通信端末は、前記通信要求を前記無線通信端末に対する操作に従って送信するためのプログラムを実行することにより、前記通信要求を前記無線通信端末に対する操作に従って送信する
無線通信システム。
【請求項１０】
無線基地局装置と無線通信端末とが無線で接続されてから所定接続期間が経過するまでに、前記無線基地局装置と前記無線通信端末との無線通信の要求であり前記無線通信端末に対する操作に従って前記無線通信端末から送信される要求である通信要求が前記無線基地局装置で受信された場合、前記無線基地局装置と前記無線通信端末との無線通信を許可し、
前記無線基地局装置と前記無線通信端末とが無線で接続されてから前記所定接続期間が経過するまでに、前記通信要求が前記無線基地局装置で受信されなかった場合、前記無線基地局装置と前記無線通信端末との無線接続を切断し、
前記無線基地局装置と前記無線通信端末との無線通信が許可されている間、前記無線基地局装置と他の無線通信端末との無線接続を禁止する
通信制御方法。
【発明の詳細な説明】
【技術分野】
【０００１】
本発明は、無線通信を行う無線基地局装置等に関する。
【背景技術】
【０００２】
従来、無線通信環境において、無線通信を制限する技術が提案されている。特許文献１及び特許文献２に記載の技術は、このような技術の例である。
【０００３】
例えば、特許文献１に記載の技術では、通信接続管理装置が、利用者ＩＤをキーとして端末識別情報、利用可能最大時間及び接続経過時間を関連付けて記憶する。そして、通信接続管理装置は、利用者が支払った飲食代等の利用料金に応じた利用可能時間を設定し、クライアント端末のインターネットへのアクセスを許可する。そして、通信接続管理装置は、残り時間が少なくなったときに利用者の端末に通知し、利用者にサービス延長手続きを促す。
【０００４】
これにより、飲食店等の無線ＬＡＮフリースポットにおけるクライアント端末からのインターネットへのアクセスが、利用者ごとに予め設定された利用時間に制限される。
【０００５】
また、特許文献２に記載の技術では、無線ＬＡＮのアクセスポイントとなる中継装置が、端末装置間で中継すべきパケットのうち、通信の開始要求を示すパケットに着目し、そのパケットに含まれる端末装置の識別情報を記録する。そして、中継装置は、識別情報を記録した端末装置の数量が予め設定した上限値を超える場合、切断コマンドの送信又はパケットの破棄により、記録した最新の識別情報に関連する通信を切断する。
【０００６】
これにより、中継装置は、通信本数に関する上限値を超える通信を切断する。したがって、中継装置は、ストリーミング通信に好適とされる通信本数を守ることができる。そして、これにより、中継装置は、ストリーミング通信の品質劣化を防止することができる。
【先行技術文献】
【特許文献】
【０００７】
【特許文献１】特開２０１０−２８３６４７号公報
【特許文献２】特開２００７−１３５０７６号公報
【発明の概要】
【発明が解決しようとする課題】
【０００８】
しかしながら、無線基地局装置が、通信相手として適切な１台の無線通信端末と排他的に無線通信を行うことは容易ではない。
【０００９】
例えば、不特定の複数の人が集まる場所において、複数の人が有する複数の無線通信端末が同時期に無線基地局装置と無線通信を行うことはセキュリティの観点で適切でない場合がある。複数の無線通信端末が同時期に無線基地局装置と無線通信を行うことを避けるため、無線基地局装置に接続可能な無線通信端末の台数が１台に制限されてもよい。しかし、他の無線通信端末が無線基地局装置へ自動的に接続し、無線通信を行うべき無線通信端末が無線基地局装置へ接続することができない弊害が発生し得る。
【００１０】
また、無線基地局装置が、無線通信を行うべき無線通信端末の識別情報等の入力を受けて、その無線通信端末と排他的に無線通信を行うことも想定される。しかし、識別情報等の入力は、複雑な操作を伴い、複雑な操作は、円滑な無線通信に支障をきたす。
【００１１】
そこで、本発明は、通信相手として適切な１台の無線通信端末と排他的に無線通信を行うことができる無線基地局装置を提供することを目的とする。
【課題を解決するための手段】
【００１２】
本発明の一態様における無線基地局装置は、無線通信を行う無線基地局装置であって、無線信号の送受信を行う通信インタフェース部と、前記通信インタフェース部を介して行われる無線通信を制御する通信制御部とを備え、前記通信制御部は、前記無線基地局装置と無線通信端末とが無線で接続されてから所定接続期間が経過するまでに、前記無線基地局装置と前記無線通信端末との無線通信の要求であり前記無線通信端末に対する操作に従って前記無線通信端末から送信される要求である通信要求が前記無線基地局装置で受信された場合、前記無線基地局装置と前記無線通信端末との無線通信を許可し、前記無線基地局装置と前記無線通信端末とが無線で接続されてから前記所定接続期間が経過するまでに、前記通信要求が前記無線基地局装置で受信されなかった場合、前記無線基地局装置と前記無線通信端末との無線接続を切断し、前記無線基地局装置と前記無線通信端末との無線通信が許可されている間、前記無線基地局装置と他の無線通信端末との無線接続を禁止する。
【００１３】
これにより、無線基地局装置は、通信相手として適切な１台の無線通信端末と排他的に無線通信を行うことができる。したがって、無線基地局装置は、無線通信に関するセキュリティを向上させることができる。
【００１４】
例えば、前記通信制御部は、前記無線基地局装置と前記他の無線通信端末とが無線で接続されている場合に前記無線基地局装置と前記他の無線通信端末との無線接続を切断することにより、及び、前記無線基地局装置と前記他の無線通信端末とが無線で接続されていない場合に前記無線基地局装置と前記他の無線通信端末との新たな無線接続を拒否することにより、前記無線基地局装置と前記他の無線通信端末との無線接続を禁止してもよい。
【００１５】
これにより、無線基地局装置は、不要な無線接続を適切に排除することができ、排他的な無線通信を適切に行うことができる。
【００１６】
また、例えば、前記通信制御部は、前記無線基地局装置と前記無線通信端末とが無線で接続されてから前記通信要求が前記無線基地局装置で受信されるまでの間、前記無線基地局装置と前記他の無線通信端末との無線接続を許可し、前記通信要求が前記無線基地局装置で受信されて、前記無線基地局装置と前記無線通信端末との無線通信を許可する際に、前記無線基地局装置と前記他の無線通信端末との無線接続の禁止を開始してもよい。
【００１７】
これにより、無線基地局装置は、通信要求が受信されるまで、無線基地局装置と複数の無線通信端末との無線接続を許可することができる。したがって、無線基地局装置は、複数の無線通信端末のうちのいずれか１つから通信要求を適切に受信することができる。
【００１８】
また、例えば、前記通信制御部は、前記無線基地局装置と前記無線通信端末とが無線で接続される際に、前記無線基地局装置と前記他の無線通信端末との無線接続の禁止を開始してもよい。
【００１９】
これにより、無線基地局装置は、無線接続を排他的に行うことができ、排他的な無線通信を適切に行うことができる。また、無線通信が行われない不要な無線接続は所定接続期間の経過後に切断されるため、無線通信を行うべき無線通信端末が排他的な他の無線接続によって無線基地局装置へ接続できない弊害は抑制される。
【００２０】
また、例えば、前記通信制御部は、さらに、前記所定接続期間が経過するまでに前記通信要求が前記無線基地局装置で受信されなかった場合、前記無線基地局装置と前記無線通信端末との無線接続の切断後、前記無線基地局装置と前記無線通信端末との新たな無線接続を拒否してもよい。
【００２１】
これにより、無線基地局装置は、無線基地局装置と、通信の予定を有していない無線通信端末とが再び無線で接続されることを抑制することができる。したがって、無線基地局装置は、不要な無線接続を適切に排除することができる。
【００２２】
また、例えば、前記無線基地局装置は、さらに、前記無線基地局装置に対する操作を受け取る操作インタフェース部を備え、前記通信制御部は、前記無線基地局装置に対する操作が受け取られてから所定有効期間が経過するまで、前記無線基地局装置と前記無線通信端末との無線接続の開始処理を有効にし、前記所定有効期間が経過した後、前記無線基地局装置と前記無線通信端末との無線接続の開始処理を無効にしてもよい。
【００２３】
これにより、無線基地局装置は、無線基地局装置と無線通信端末との無線接続が開始する期間を制限することができ、無線基地局装置と無線通信端末との無駄な無線接続を抑制することができる。
【００２４】
また、例えば、前記通信制御部は、前記所定有効期間が経過するまで、前記無線基地局装置からビーコン及びプローブ応答のうち少なくとも一方を送信させることにより、前記無線基地局装置と前記無線通信端末との無線接続の開始処理を有効にし、前記所定有効期間が経過した後、前記無線基地局装置からビーコン及びプローブ応答を送信させないことにより、前記無線基地局装置と前記無線通信端末との無線接続の開始処理を無効にしてもよい。
【００２５】
これにより、無線基地局装置は、所定有効期間の経過後、無線基地局装置と無線通信端末との無線接続の開始を適切に禁止することができる。
【００２６】
また、例えば、前記通信制御部は、前記無線基地局装置と前記無線通信端末との無線通信が許可されてから所定通信期間が経過した後、前記無線基地局装置と前記無線通信端末との無線接続を切断し、前記無線基地局装置と前記無線通信端末との無線接続を切断する際、前記無線基地局装置と前記無線通信端末との無線通信の許可を解除し、前記無線基地局装置と前記他の無線通信端末との無線接続の禁止を解除してもよい。
【００２７】
これにより、無線基地局装置は、無線通信端末が無線基地局装置を専用し続けることを抑制することができる。
【００２８】
また、本発明の一態様における無線通信システムは、前記無線基地局装置と、前記無線通信端末とを備え、前記無線通信端末は、前記通信要求を前記無線通信端末に対する操作に従って送信するためのプログラムを実行することにより、前記通信要求を前記無線通信端末に対する操作に従って送信する。
【００２９】
これにより、無線通信システムは、無線通信端末に対する操作に従って無線通信端末から通信要求を適切に送信することができ、無線基地局装置において通信要求を適切に受信することができる。
【００３０】
また、本発明の一態様における通信制御方法は、無線基地局装置と無線通信端末とが無線で接続されてから所定接続期間が経過するまでに、前記無線基地局装置と前記無線通信端末との無線通信の要求であり前記無線通信端末に対する操作に従って前記無線通信端末から送信される要求である通信要求が前記無線基地局装置で受信された場合、前記無線基地局装置と前記無線通信端末との無線通信を許可し、前記無線基地局装置と前記無線通信端末とが無線で接続されてから前記所定接続期間が経過するまでに、前記通信要求が前記無線基地局装置で受信されなかった場合、前記無線基地局装置と前記無線通信端末との無線接続を切断し、前記無線基地局装置と前記無線通信端末との無線通信が許可されている間、前記無線基地局装置と他の無線通信端末との無線接続を禁止する。
【００３１】
これにより、この通信制御方法を用いる装置等は、通信相手として適切な１台の無線通信端末と排他的に無線通信を行うことができる。したがって、この通信制御方法を用いる装置等は、無線通信に関するセキュリティを向上させることができる。
【００３２】
なお、これらの包括的又は具体的な態様は、システム、装置、方法、集積回路、コンピュータプログラム、及び、コンピュータ読み取り可能なＣＤ−ＲＯＭなどの非一時的な記録媒体のいずれで実現されてもよく、システム、装置、方法、集積回路、コンピュータプログラム及び記録媒体の任意な組み合わせで実現されてもよい。
【発明の効果】
【００３３】
本発明の一態様における無線基地局装置等は、通信相手として適切な１台の無線通信端末と排他的に無線通信を行うことができる。
【図面の簡単な説明】
【００３４】
【図１】図１は、実施の形態における無線通信システムの実装例を示すイメージ図である。
【図２】図２は、実施の形態における無線基地局装置の構成例を示すブロック図である。
【図３】図３は、実施の形態における無線通信端末の構成例を示すブロック図である。
【図４】図４は、実施の形態における無線基地局装置の実装例を示すイメージ図である。
【図５】図５は、実施の形態における無線通信端末の実装例を示すイメージ図である。
【図６】図６は、実施の形態における無線通信システムの第１動作例を示すシーケンス図である。
【図７】図７は、実施の形態における無線通信システムの第２動作例を示すシーケンス図である。
【図８】図８は、実施の形態における無線通信システムの第３動作例を示すシーケンス図である。
【図９】図９は、実施の形態における無線通信システムの第４動作例を示すシーケンス図である。
【図１０】図１０は、実施の形態における無線通信システムの第５動作例を示すシーケンス図である。
【図１１】図１１は、実施の形態における無線通信システムの第６動作例を示すシーケンス図である。
【図１２】図１２は、実施の形態における無線通信システムの第７動作例を示すシーケンス図である。
【図１３】図１３は、実施の形態における無線通信システムの第８動作例を示すシーケンス図である。
【図１４】図１４は、実施の形態における無線基地局装置の動作例を示すフローチャートである。
【図１５】図１５は、実施の形態における無線通信端末を操作するためのＧＵＩの表示例を示すイメージ図である。
【発明を実施するための形態】
【００３５】
以下、実施の形態等について、図面を参照しながら具体的に説明する。なお、以下で説明する実施の形態等は、いずれも包括的又は具体的な例を示すものである。以下の実施の形態等で示される数値、形状、材料、構成要素、構成要素の配置位置及び接続形態、ステップ、ステップの順序などは、一例であり、本発明を限定する主旨ではない。また、以下の実施の形態等における構成要素のうち、最上位概念を示す独立請求項に記載されていない構成要素については、任意の構成要素として説明される。
【００３６】
また、要求、応答、許可及び拒否等を示す情報を送信することを単に要求、応答、許可及び拒否等を送信すると表現する場合がある。
【００３７】
（実施の形態）
図１は、本実施の形態における無線通信システム４００の実装例を示すイメージ図である。無線通信システム４００は、無線基地局装置１００及び無線通信端末２０１等を備える。また、無線基地局装置１００は、有線の通信線３０３を介して、ファイルサーバ３０１及びプリンタ３０２等に接続される。無線通信システム４００は、有線の通信線３０３を介して、インターネットのような通信網に接続されてもよい。
【００３８】
無線基地局装置１００は、無線通信を行う装置であって、無線ＬＡＮアクセスポイント又は無線ＬＡＮルータとも呼ばれる。無線基地局装置１００は、同時期に、複数の無線通信端末２０１及び２０２等のうちの１台の無線通信端末と無線通信を行う。そして、無線基地局装置１００は、別の時期に、別の無線通信端末と無線通信を行う。つまり、無線基地局装置１００は、同時期に、複数の無線通信端末２０１及び２０２等のうちの１台の無線通信端末とのみ無線通信を行うように、無線通信を制限する。
【００３９】
また、無線基地局装置１００は、通信線３０３を介して、ファイルサーバ３０１及びプリンタ３０２等を含む他の複数の装置と有線通信を行う。無線基地局装置１００は、同時期に、１台の無線通信端末との無線通信と共に、他の複数の装置と有線通信を行ってもよい。例えば、無線基地局装置１００は、無線通信端末２０１とプリンタ３０２との間の通信を中継する。
【００４０】
無線通信は、例えば、ＩＥＥＥ８０２．１１ａ、ｂ、ｇ又はｎ規格等に適合する無線ＬＡＮを用いて行われる。有線通信は、例えば、ＩＥＥＥ８０２．３規格等に適合する有線ＬＡＮを用いて行われる。
【００４１】
無線通信端末２０１及び２０２のそれぞれは、無線基地局装置１００と無線通信を行う装置である。無線通信端末２０１及び２０２のそれぞれは、無線基地局装置１００及び通信線３０３を介して、ファイルサーバ３０１と通信してもよいし、プリンタ３０２と通信してもよい。無線通信端末２０１及び２０２のそれぞれは、スマートフォン、タブレット端末、携帯用パーソナルコンピュータ又は携帯電話等であってもよい。
【００４２】
例えば、無線通信システム４００は、不特定の複数の人が集まる場所において、構築される。仮に無線通信端末２０１及び２０２が同時期にプリンタ３０２と通信することができるとすれば、無線通信端末２０１の指示によって出力された印刷物と、無線通信端末２０２の指示によって出力された印刷物とが混ざり合う可能性がある。これらの印刷物が、機密を要する内容のものである場合、これらを目視によって分離することは、セキュリティの観点で適切でない。
【００４３】
また、仮に無線通信端末２０１及び２０２が同時期にファイルサーバ３０１と通信することができるとすれば、無線基地局装置１００及びファイルサーバ３０１の処理負荷が増大する可能性がある。そして、過負荷によって、無線基地局装置１００又はファイルサーバ３０１が停止する可能性がある。
【００４４】
そこで、無線基地局装置１００は、上述した通り、同時期に、複数の無線通信端末２０１及び２０２等のうちの１台の無線通信端末とのみ無線通信を行うように、無線通信を制限する。これにより、無線基地局装置１００は、無線通信端末２０１及び２０２が同時期にファイルサーバ３０１又はプリンタ３０２と通信しないように、無線通信を制限することができる。
【００４５】
一方、無線基地局装置１００が複数の無線通信端末２０１及び２０２等のうちの１台のみと接続可能である場合、無線基地局装置１００が、複数の無線通信端末２０１及び２０２等のうち無線通信を行うべき無線通信端末と接続できない弊害が発生し得る。例えば、無線基地局装置１００が、無線通信を行う予定を有していない他の無線通信端末２０２と自動的に接続しているために、無線通信を行う予定を本来有している無線通信端末２０１と接続できない可能性がある。
【００４６】
また、例えば、無線基地局装置１００は、複数の無線通信端末２０１及び２０２等のうち無線通信を行うべき無線通信端末の識別情報等の入力を介して、無線通信を行うべき無線通信端末と無線で接続して無線通信を行ってもよい。しかし、識別情報等の入力は、複雑な操作を伴い、複雑な操作は、円滑な無線通信に支障をきたす。
【００４７】
そこで、例えば、無線基地局装置１００は、無線通信端末２０１と無線で接続してから所定接続期間が経過するまでに、無線通信端末２０１から通信要求を受信した場合、無線基地局装置１００と他の無線通信端末２０２等との無線接続を禁止する。そして、この場合、無線基地局装置１００は、無線基地局装置１００と無線通信端末２０１との無線通信を許可する。例えば、この場合のみにおいて、無線基地局装置１００は、無線通信の処理を有効にして、無線通信端末２０１と無線通信してもよい。
【００４８】
また、無線基地局装置１００は、無線通信端末２０１と無線で接続してから所定接続期間が経過するまでに、無線通信端末２０１から通信要求を受信しなかった場合、無線基地局装置１００と無線通信端末２０１との無線接続を切断する。
【００４９】
なお、通信要求は、無線通信の要求であり、無線基地局装置１００と無線通信端末２０１とが無線で接続されている状態において、無線通信端末２０１に対する操作によって無線通信端末２０１から無線基地局装置１００へ送信される。無線通信端末２０１に対する操作は、例えば、ＧＵＩでオブジェクトを選択するような操作であって、文字の入力等のような複雑な操作とは異なる簡易な操作であってもよい。
【００５０】
上記の動作では、無線基地局装置１００が無線通信端末２０１と無線で接続しているが、無線基地局装置１００が無線通信端末２０２と無線で接続した場合の動作も同様である。つまり、上記の説明において、無線通信端末２０１と無線通信端末２０２とが入れ替えられてもよい。
【００５１】
また、３台以上の無線通信端末を含む環境では、２台の無線通信端末２０１及び２０２とは異なる無線通信端末が、他の無線通信端末２０２と同様に扱われてもよい。例えば、無線基地局装置１００は、無線通信端末２０１から通信要求を受信した場合、無線基地局装置１００と、２台の無線通信端末２０１及び２０２とは異なる無線通信端末との無線接続も禁止する。
【００５２】
上記の動作によって、無線基地局装置１００は、通信相手として適切な１台の無線通信端末と排他的に無線通信を行うことができる。したがって、無線基地局装置１００は、無線通信に関するセキュリティを向上させることができる。また、無線基地局装置１００は、不要な無線接続を排除するため、処理負荷を低減させることができる。
【００５３】
図２は、図１に示された無線基地局装置１００の構成例を示すブロック図である。無線基地局装置１００は、操作インタフェース部１１１、通信制御部１１２及び通信インタフェース部１１３を備える。
【００５４】
操作インタフェース部１１１は、無線基地局装置１００に対する操作を受け取る電気回路である。操作インタフェース部１１１は、スイッチ、ボタン又はタッチパネル等で実装されてもよい。また、操作インタフェース部１１１は、音声で操作を受け取るためのマイクで実装されてもよいし、ジェスチャーで操作を受け取るためのカメラで実装されてもよい。あるいは、操作インタフェース部１１１は、これらの組み合わせで実装されてもよい。
【００５５】
操作インタフェース部１１１は、直接、人（ユーザとも呼ぶ）から操作を受け取る。操作インタフェース部１１１は、複数種の操作を受け取ってもよい。例えば、複数種の操作には、所定有効期間において、無線接続の開始処理を有効にするための操作が含まれていてもよい。具体的には、ビーコンの送信、及び、レスポンス応答の送信等を有効にするための操作が含まれていてもよい。
【００５６】
通信制御部１１２は、通信インタフェース部１１３を介して行われる無線通信を制御する電気回路である。通信制御部１１２は、さらに、通信インタフェース部１１３を介して行われる有線通信を制御してもよい。通信制御部１１２は、プロセッサ及びメモリ等によって実装されてもよい。そして、プロセッサが、メモリ等を用いて情報処理を行うことにより、通信制御部１１２として動作してもよい。
【００５７】
例えば、通信制御部１１２は、ある無線通信端末との無線接続の開始から所定接続期間が経過するまでに、その無線通信端末からの通信要求を受信した場合、無線通信を許可する。そして、通信制御部１１２は、少なくとも、ある無線通信端末との無線通信が許可されている間、他の無線通信端末との無線接続を禁止する。また、通信制御部１１２は、ある無線通信端末との無線接続の開始から所定接続期間が経過するまでに、その無線通信端末からの通信要求を受信しなかった場合、その無線接続を切断する。
【００５８】
通信インタフェース部１１３は、無線信号の送受信を行う電気回路である。具体的には、通信インタフェース部１１３は、通信制御部１１２が行う制御に従って、無線信号の送受信を行う。例えば、通信インタフェース部１１３は、アンテナ及びフロントエンド回路等で実装される。
【００５９】
また、通信インタフェース部１１３は、有線信号の送受信を行う電気回路を含んでいてもよい。そして、通信インタフェース部１１３は、通信制御部１１２が行う制御に従って、有線信号の送受信を行ってもよい。例えば、通信インタフェース部１１３は、通信線３０３に物理的に接続するための通信端子を含んでいてもよい。
【００６０】
図３は、図１に示された無線通信端末２０１の構成例を示すブロック図である。無線通信端末２０１は、操作インタフェース部２１１、通信制御部２１２及び通信インタフェース部２１３を備える。ここでは、無線通信端末２０１の構成要素が示されているが、他の無線通信端末２０２等も無線通信端末２０１と同様の構成要素を備える。
【００６１】
操作インタフェース部２１１は、無線通信端末２０１に対する操作を受け取る電気回路である。操作インタフェース部２１１は、スイッチ、ボタン又はタッチパネル等で実装されてもよい。また、操作インタフェース部２１１は、音声で操作を受け取るためのマイクで実装されてもよいし、ジェスチャーで操作を受け取るためのカメラで実装されてもよい。あるいは、操作インタフェース部２１１は、これらの組み合わせで実装されてもよい。
【００６２】
操作インタフェース部２１１は、直接、人から操作を受け取る。操作インタフェース部２１１は、複数種の操作を受け取ってもよい。例えば、複数種の操作には、無線通信の要求である通信要求を無線信号として送信するための操作が含まれていてもよい。
【００６３】
通信制御部２１２は、通信インタフェース部２１３を介して行われる無線通信を制御する電気回路である。通信制御部２１２は、プロセッサ及びメモリ等によって実装されてもよい。そして、プロセッサが、メモリ等を用いて情報処理を行うことにより、通信制御部２１２として動作してもよい。
【００６４】
例えば、通信制御部２１２は、無線通信端末２０１に対する操作に従って、無線基地局装置１００へ通信要求を送信する。無線通信端末２０１には、通信要求を操作に従って送信するためのプログラムが搭載されていてもよい。そして、通信制御部２１２は、プログラムを実行することにより、無線通信端末２０１の操作インタフェース部１１１で行われる操作に従って通信要求を送信してもよい。例えば、このような処理は、プロセッサがメモリに記憶されたプログラムを実行することで行われる。
【００６５】
通信インタフェース部２１３は、無線信号の送受信を行う電気回路である。具体的には、通信インタフェース部２１３は、通信制御部２１２が行う制御に従って、無線信号の送受信を行う。例えば、通信インタフェース部２１３は、アンテナ及びフロントエンド回路等で実装される。
【００６６】
図４は、図１等に示された無線基地局装置１００の実装例を示すイメージ図である。例えば、無線基地局装置１００は、アンテナ１２１、接続端子１２２、プロセッサ１２３、メモリ１２４及び操作ボタン１２５を備える。操作インタフェース部１１１は、操作ボタン１２５によって構成されてもよい。通信制御部１１２は、プロセッサ１２３及びメモリ１２４によって構成されてもよい。通信インタフェース部１１３は、アンテナ１２１及び接続端子１２２によって構成されてもよい。
【００６７】
つまり、操作ボタン１２５が、操作インタフェース部１１１の役割を果たしてもよい。また、プロセッサ１２３及びメモリ１２４が、通信制御部１１２の役割を果たしてもよい。また、アンテナ１２１及び接続端子１２２が、通信インタフェース部１１３の役割を果たしてもよい。
【００６８】
アンテナ１２１は、無線通信のためのアンテナである。無線で送信又は受信される信号は、アンテナ１２１によって電波で送信又は受信される。接続端子１２２は、有線通信のための接続端子であって、通信線３０３が接続される。有線通信で送信又は受信される信号は、接続端子１２２及び通信線３０３を介して送信又は受信される。
【００６９】
プロセッサ１２３は、情報処理を行うプロセッサである。例えば、プロセッサ１２３は、プロセッサ１２３及びメモリ１２４が通信制御部１１２として動作するための情報処理を行う。
【００７０】
プロセッサ１２３は、汎用のプロセッサでもよいし、専用のプロセッサでもよい。例えば、プロセッサ１２３が汎用のプロセッサである場合、プロセッサ１２３は、メモリ１２４からプログラムを読み出して、プログラムを実行することにより、上記の情報処理を行う。
【００７１】
メモリ１２４は、情報を記憶するためのメモリである。メモリ１２４には、プロセッサ１２３が情報処理を行うためのデータが記憶されてもよいし、プロセッサ１２３が情報処理を行うためのプログラムが記憶されてもよい。メモリ１２４は、揮発性メモリを含んでいてもよいし、不揮発性メモリを含んでいてもよいし、ＲＯＭを含んでいてもよいし、ＲＡＭを含んでいてもよい。
【００７２】
操作ボタン１２５は、無線基地局装置１００に対する操作を行うためのボタンである。操作ボタン１２５の押下によって、無線基地局装置１００が操作される。例えば、操作ボタン１２５が押下されてから所定有効期間が経過するまで、ビーコンの送信、及び、レスポンス応答の送信等が行われ、無線接続の開始処理が有効にされる。
【００７３】
なお、無線基地局装置１００は、複数のアンテナ、複数の接続端子、複数のプロセッサ、複数のメモリ及び複数の操作ボタンを備えていてもよい。
【００７４】
図５は、図１等に示された無線通信端末２０１の実装例を示すイメージ図である。なお、他の無線通信端末２０２等も無線通信端末２０１と同様に実装され得る。
【００７５】
例えば、無線通信端末２０１は、アンテナ２２１、プロセッサ２２３、メモリ２２４及びタッチパネル２２５を備える。操作インタフェース部２１１は、タッチパネル２２５によって構成されてもよい。通信制御部２１２は、プロセッサ２２３及びメモリ２２４によって構成されてもよい。通信インタフェース部２１３は、アンテナ２２１によって構成されてもよい。
【００７６】
つまり、タッチパネル２２５が、操作インタフェース部２１１の役割を果たしてもよい。また、プロセッサ２２３及びメモリ２２４が、通信制御部２１２の役割を果たしてもよい。また、アンテナ２２１が、通信インタフェース部２１３の役割を果たしてもよい。
【００７７】
アンテナ２２１は、無線通信のためのアンテナである。無線で送信又は受信される信号は、アンテナ２２１によって電波で送信又は受信される。この例では、アンテナ２２１は、無線通信端末２０１に内蔵されている。
【００７８】
プロセッサ２２３は、情報処理を行うプロセッサである。例えば、プロセッサ２２３は、プロセッサ２２３及びメモリ２２４が通信制御部２１２として動作するための情報処理を行う。
【００７９】
プロセッサ２２３は、汎用のプロセッサでもよいし、専用のプロセッサでもよい。例えば、プロセッサ２２３が汎用のプロセッサである場合、プロセッサ２２３は、メモリ２２４からプログラムを読み出して、プログラムを実行することにより、上記の情報処理を行う。
【００８０】
メモリ２２４は、情報を記憶するためのメモリである。メモリ２２４には、プロセッサ２２３が情報処理を行うためのデータが記憶されてもよいし、プロセッサ２２３が情報処理を行うためのプログラムが記憶されてもよい。メモリ２２４は、揮発性メモリを含んでいてもよいし、不揮発性メモリを含んでいてもよいし、ＲＯＭを含んでいてもよいし、ＲＡＭを含んでいてもよい。
【００８１】
タッチパネル２２５は、無線通信端末２０１に対する操作を行うためのボタンである。タッチパネル２２５によって、無線通信端末２０１が操作される。例えば、タッチパネル２２５によって無線通信端末２０１が操作されることにより、通信要求が無線基地局装置１００に送信される。
【００８２】
なお、無線通信端末２０１は、複数のアンテナ、複数のプロセッサ、複数のメモリ及び複数のタッチパネルを備えていてもよい。
【００８３】
図６は、図１に示された無線通信システム４００の第１動作例を示すシーケンス図である。この例では、所定接続期間が経過するまでに、無線基地局装置１００と無線通信端末２０１との無線通信の通信要求が受信され、無線基地局装置１００と無線通信端末２０１との無線通信が許可される。
【００８４】
具体的には、まず、無線通信端末２０１は、無線基地局装置１００へ接続要求を送信する（Ｓ１０１）。例えば、無線通信端末２０１の通信制御部２１２が、通信インタフェース部２１３を介して、無線基地局装置１００と無線通信端末２０１との無線接続の接続要求を無線基地局装置１００へ送信する。
【００８５】
そして、接続要求に応じて、無線基地局装置１００は、無線通信端末２０１へ接続許可を送信する（Ｓ１０２）。具体的には、無線基地局装置１００の通信制御部１１２が、通信インタフェース部１１３を介して、無線基地局装置１００と無線通信端末２０１との無線接続の接続許可を無線通信端末２０１へ送信する。これにより、無線基地局装置１００と無線通信端末２０１とが無線で接続される。
【００８６】
その後、無線通信端末２０１は、無線通信端末２０１に対する操作を受け取る（Ｓ１０３）。具体的には、無線通信端末２０１の操作インタフェース部２１１は、無線通信端末２０１に対する操作を受け取る。
【００８７】
そして、無線通信端末２０１は、無線通信端末２０１に対する操作に従って、通信要求を無線基地局装置１００へ送信する（Ｓ１０４）。具体的には、無線通信端末２０１の通信制御部２１２は、無線通信端末２０１に対する操作に従って、無線基地局装置１００と無線通信端末２０１との無線通信の通信要求を無線基地局装置１００へ送信する。
【００８８】
この例では、無線基地局装置１００が、無線基地局装置１００と無線通信端末２０１とが無線で接続されてから所定接続期間が経過するまでに、通信要求を受信する。つまり、無線基地局装置１００の通信制御部１１２が、無線基地局装置１００と無線通信端末２０１とが無線で接続されてから所定接続期間が経過するまでに、通信インタフェース部１１３を介して、通信要求を受信する。所定接続期間は、例えば１分間であるが、任意に規定され得る。
【００８９】
そして、通信要求に応じて、無線基地局装置１００は、無線基地局装置１００と無線通信端末２０１との無線通信を許可し、無線通信端末２０１へ通信許可を送信する（Ｓ１０５）。例えば、無線基地局装置１００の通信制御部１１２は、無線通信の処理を有効にして、通信インタフェース部１１３を介して、無線基地局装置１００と無線通信端末２０１との無線通信の通信許可を無線通信端末２０１へ送信する。
【００９０】
これにより、無線基地局装置１００と無線通信端末２０１との無線通信が可能になる。逆に、通信要求が受信されるまで、無線基地局装置１００と無線通信端末２０１との無線通信は可能になっていない。すなわち、無線基地局装置１００は、通信要求の受信前に通信の中継を行わず、通信許可の送信後に通信の中継を行う。そして、無線基地局装置１００は、通信要求の受信時以降において、無線基地局装置１００と他の無線通信端末２０２との無線接続を禁止する。
【００９１】
この例では、通信要求が無線通信端末２０１から無線基地局装置１００で受信された後、他の無線通信端末２０２が、無線基地局装置１００と無線通信端末２０２との無線接続の接続要求を送信する（Ｓ１０６）。この接続要求に対して、無線基地局装置１００は、接続拒否を無線通信端末２０２へ送信する（Ｓ１０７）。具体的には、無線基地局装置１００の通信制御部１１２は、通信インタフェース部１１３を介して、無線基地局装置１００と無線通信端末２０２との無線接続の接続拒否を無線通信端末２０２へ送信する。
【００９２】
すなわち、無線基地局装置１００の通信制御部１１２は、無線通信端末２０１から通信インタフェース部１１３を介して通信要求を受信した場合、無線基地局装置１００と他の無線通信端末２０２との無線接続を禁止する。これにより、無線基地局装置１００と無線通信端末２０１との排他的な無線通信がより確実に行われる。また、不要な無線接続が排除される。
【００９３】
なお、上記の説明において、無線通信端末２０１と無線通信端末２０２とが入れ替えられてもよい。また、上記の説明では、説明の便宜上、２台の無線通信端末２０１及び２０２の動作が示されているが、３台以上の無線通信端末が利用されてもよい。例えば、２台の無線通信端末２０１及び２０２とは異なる新たな無線通信端末は、無線通信端末２０２と同様に扱われ得る。以降の動作例の説明についても同様である。
【００９４】
図７は、図１に示された無線通信システム４００の第２動作例を示すシーケンス図である。この例では、所定接続期間が経過するまでに、無線基地局装置１００と無線通信端末２０１との無線通信の通信要求が受信されず、無線基地局装置１００と無線通信端末２０１との無線接続が切断される。
【００９５】
具体的には、まず、無線通信端末２０１は、無線基地局装置１００へ接続要求を送信する（Ｓ２０１）。接続要求に応じて、無線基地局装置１００は、無線通信端末２０１へ接続許可を送信する（Ｓ２０２）。これにより、無線基地局装置１００と無線通信端末２０１とが無線で接続される。これらの処理（Ｓ２０１、Ｓ２０２）は、図６の例における処理（Ｓ１０１、Ｓ１０２）と同様である。
【００９６】
この例では、無線基地局装置１００と無線通信端末２０１とが無線で接続されてから所定接続期間が経過するまでに、無線基地局装置１００で通信要求が受信されない。この場合、無線基地局装置１００は、無線基地局装置１００と無線通信端末２０１との無線接続を切断する（Ｓ２０３）。具体的には、無線基地局装置１００の通信制御部１１２は、通信インタフェース部１１３を介して、無線接続を切断するための信号を無線通信端末２０１へ送信し、無線接続を切断する。
【００９７】
また、この例では、無線基地局装置１００と無線通信端末２０１との無線接続の切断後、他の無線通信端末２０２が、無線基地局装置１００と無線通信端末２０２との無線接続の接続要求を送信する（Ｓ２０４）。
【００９８】
この接続要求に対して、無線基地局装置１００は、接続許可を無線通信端末２０２へ送信する（Ｓ２０５）。具体的には、無線基地局装置１００の通信制御部１１２は、通信インタフェース部１１３を介して、無線基地局装置１００と無線通信端末２０２との無線接続の接続許可を無線通信端末２０２へ送信する。これにより、無線基地局装置１００と無線通信端末２０２とが無線で接続される。
【００９９】
その後、無線通信端末２０２は、無線通信端末２０２に対する操作を受け取る（Ｓ２０６）。そして、無線通信端末２０２は、無線通信端末２０２に対する操作に従って、通信要求を無線基地局装置１００へ送信する（Ｓ２０７）。この例では、無線基地局装置１００が、無線基地局装置１００と無線通信端末２０２とが無線で接続されてから所定接続期間が経過するまでに、通信要求を受信する。
【０１００】
そして、通信要求に応じて、無線基地局装置１００は、無線基地局装置１００と無線通信端末２０２との無線通信を許可し、無線通信端末２０２へ通信許可を送信する（Ｓ２０８）。例えば、無線基地局装置１００の通信制御部１１２は、無線通信の処理を有効にし、通信インタフェース部１１３を介して、無線基地局装置１００と無線通信端末２０２との無線通信の通信許可を無線通信端末２０２へ送信する。これにより、無線基地局装置１００と無線通信端末２０２との無線通信が可能になる。
【０１０１】
上記の動作では、所定接続期間が経過後に、無線基地局装置１００と無線通信端末２０１との無線接続が切断されるため、不要な無線接続が排除される。したがって、無線基地局装置１００における処理負荷が抑制される。また、その後、無線基地局装置１００と無線通信端末２０２とが、無線で接続して無線通信を行うことができる。
【０１０２】
図８は、図１に示された無線通信システム４００の第３動作例を示すシーケンス図である。この例では、無線基地局装置１００と無線通信端末２０１との無線通信の通信要求の受信時まで、無線基地局装置１００と他の無線通信端末２０２との無線接続が許可される。
【０１０３】
具体的には、まず、無線通信端末２０１は、無線基地局装置１００へ接続要求を送信する（Ｓ３０１）。接続要求に応じて、無線基地局装置１００は、無線通信端末２０１へ接続許可を送信する（Ｓ３０２）。これにより、無線基地局装置１００と無線通信端末２０１とが無線で接続される。これらの処理（Ｓ３０１、Ｓ３０２）は、図６の例における処理（Ｓ１０１、Ｓ１０２）と同様である。
【０１０４】
この例では、次に、他の無線通信端末２０２が、無線基地局装置１００と無線通信端末２０２との無線接続の接続要求を送信する（Ｓ３０３）。この時、無線基地局装置１００は、通信要求を受信していない。したがって、この接続要求に対して、無線基地局装置１００は、接続許可を無線通信端末２０２へ送信する（Ｓ３０４）。具体的には、無線基地局装置１００の通信制御部１１２は、通信インタフェース部１１３を介して、無線基地局装置１００と無線通信端末２０２との無線接続の接続許可を無線通信端末２０２へ送信する。
【０１０５】
これにより、無線基地局装置１００と無線通信端末２０２とが無線で接続される。つまり、複数の無線通信端末２０１及び２０２が無線基地局装置１００に接続される。
【０１０６】
その後、無線通信端末２０１は、無線通信端末２０１に対する操作を受け取る（Ｓ３０５）。そして、無線通信端末２０１は、無線通信端末２０１に対する操作に従って、通信要求を無線基地局装置１００へ送信する（Ｓ３０６）。そして、通信要求に応じて、無線基地局装置１００は、無線通信端末２０１へ通信許可を送信する（Ｓ３０７）。これらの処理（Ｓ３０５〜Ｓ３０７）は、図６の例における処理（Ｓ１０３〜Ｓ１０５）と同様である。
【０１０７】
また、無線基地局装置１００は、無線基地局装置１００と無線通信端末２０２との無線接続を切断する（Ｓ３０８）。具体的には、無線基地局装置１００の通信制御部１１２は、通信インタフェース部１１３を介して、無線接続を切断するための信号を無線通信端末２０２へ送信し、無線接続を切断する。なお、この切断処理は、通信許可の送信前に行われてもよい。
【０１０８】
その後、他の無線通信端末２０２が、無線基地局装置１００と無線通信端末２０２との無線接続の接続要求を送信する（Ｓ３０９）。この接続要求に対して、無線基地局装置１００は、接続拒否を無線通信端末２０２へ送信する（Ｓ３１０）。これらの処理（Ｓ３０９、Ｓ３１０）は、図６の例における処理（Ｓ１０６、Ｓ１０７）と同様である。
【０１０９】
上記の動作では、無線通信の通信要求の受信時まで、他の無線接続が許可される。つまり、無線通信の通信要求の受信時まで、他の無線接続が禁止されない。これにより、無線基地局装置１００は、無線基地局装置１００と複数の無線通信端末２０１及び２０２のそれぞれとの無線接続を許可することができる。したがって、無線基地局装置は、複数の無線通信端末２０１及び２０２のうちのいずれか１つから通信要求を適切に受信することができる。
【０１１０】
図９は、図１に示された無線通信システム４００の第４動作例を示すシーケンス図である。この例では、無線基地局装置１００と無線通信端末２０１との無線接続時に、無線基地局装置１００と他の無線通信端末２０２との無線接続の禁止が開始される。
【０１１１】
具体的には、まず、無線通信端末２０１は、無線基地局装置１００へ接続要求を送信する（Ｓ４０１）。接続要求に応じて、無線基地局装置１００は、無線通信端末２０１へ接続許可を送信する（Ｓ４０２）。これにより、無線基地局装置１００と無線通信端末２０１とが無線で接続される。これらの処理（Ｓ４０１、Ｓ４０２）は、図６の例における処理（Ｓ１０１、Ｓ１０２）と同様である。
【０１１２】
この例では、無線基地局装置１００の通信制御部１１２は、無線基地局装置１００と無線通信端末２０１との無線接続時に、無線基地局装置１００と他の無線通信端末２０２との無線接続の禁止を開始する。
【０１１３】
そして、その後、他の無線通信端末２０２が、無線基地局装置１００と無線通信端末２０２との無線接続の接続要求を送信する（Ｓ４０３）。したがって、この接続要求に対して、無線基地局装置１００は、接続拒否を無線通信端末２０２へ送信する（Ｓ４０４）。具体的には、無線基地局装置１００の通信制御部１１２は、通信インタフェース部１１３を介して、無線基地局装置１００と無線通信端末２０２との無線接続の接続拒否を無線通信端末２０２へ送信する。
【０１１４】
したがって、無線基地局装置１００と無線通信端末２０２とが無線で接続されない。つまり、複数の無線通信端末２０１及び２０２のうち無線通信端末２０１のみが無線基地局装置１００に接続される。
【０１１５】
その後、無線通信端末２０１は、無線通信端末２０１に対する操作を受け取る（Ｓ４０５）。そして、無線通信端末２０１は、無線通信端末２０１に対する操作に従って、通信要求を無線基地局装置１００へ送信する（Ｓ４０６）。そして、通信要求に応じて、無線基地局装置１００は、無線通信端末２０１へ通信許可を送信する（Ｓ４０７）。これらの処理（Ｓ４０５〜Ｓ４０７）は、図６の例における処理（Ｓ１０３〜Ｓ１０５）と同様である。
【０１１６】
さらに、その後、他の無線通信端末２０２が、無線基地局装置１００と無線通信端末２０２との無線接続の接続要求を送信する（Ｓ４０８）。この接続要求に対して、無線基地局装置１００は、接続拒否を無線通信端末２０２へ送信する（Ｓ４０９）。これらの処理（Ｓ４０８、Ｓ４０９）は、図６の例における処理（Ｓ１０６、Ｓ１０７）と同様である。
【０１１７】
上記の動作では、無線接続時に、他の無線接続の禁止が開始される。これにより、無線基地局装置１００は、無線接続を排他的に行うことができ、排他的な無線通信を適切に行うことができる。なお、無線通信が行われない不要な無線接続は所定接続期間の経過後に切断されるため、排他的な無線接続がもたらす弊害は抑制される。
【０１１８】
図１０は、図１に示された無線通信システム４００の第５動作例を示すシーケンス図である。この例では、所定接続期間が経過するまでに、無線基地局装置１００と無線通信端末２０１との無線通信の通信要求が受信されず、無線基地局装置１００と無線通信端末２０１との無線接続が切断される。さらに、無線基地局装置１００と無線通信端末２０１との新たな無線接続が拒否される。
【０１１９】
具体的には、まず、無線通信端末２０１は、無線基地局装置１００へ接続要求を送信する（Ｓ５０１）。接続要求に応じて、無線基地局装置１００は、無線通信端末２０１へ接続許可を送信する（Ｓ５０２）。これにより、無線基地局装置１００と無線通信端末２０１とが無線で接続される。その後、所定接続期間が経過するまでに、無線基地局装置１００で通信要求が受信されず、無線基地局装置１００は、無線基地局装置１００と無線通信端末２０１との無線接続を切断する（Ｓ５０３）。
【０１２０】
上記の処理（Ｓ５０１〜Ｓ５０３）は、図７の例における処理（Ｓ２０１〜Ｓ２０３）と同様である。この例では、その後、無線基地局装置１００の通信制御部１１２は、無線基地局装置１００と無線通信端末２０１との新たな無線接続をフィルタリングによって拒否する。
【０１２１】
例えば、無線基地局装置１００の通信制御部１１２は、通信要求を受信せずに、無線基地局装置１００と無線通信端末２０１との無線接続を切断した場合、無線通信端末２０１の情報を保持する。無線通信端末２０１の情報は、無線通信端末２０１のＭＡＣアドレスでもよい。そして、通信制御部１１２は、例えば同じＭＡＣアドレスを有する無線通信端末２０１から接続要求を受信した場合、接続拒否を応答として送信する。
【０１２２】
具体的には、この例において、無線基地局装置１００と無線通信端末２０１との無線接続の切断後、無線通信端末２０１が、無線基地局装置１００と無線通信端末２０１との無線接続の接続要求を送信する（Ｓ５０４）。
【０１２３】
この接続要求に対して、無線基地局装置１００は、接続拒否を無線通信端末２０１へ送信する（Ｓ５０５）。具体的には、無線基地局装置１００の通信制御部１１２は、通信インタフェース部１１３を介して、無線基地局装置１００と無線通信端末２０１との無線接続の接続拒否を無線通信端末２０１へ送信する。
【０１２４】
上記の動作では、無線通信端末２０１が通信要求を送信しなかった場合、その後、無線基地局装置１００と無線通信端末２０１との無線接続が禁止される。これにより、無線基地局装置１００と、無線通信を行う予定を有していない無線通信端末２０１とが自動的に無線で接続されることが抑制される。したがって、不要な無線接続が排除され、無線基地局装置１００における処理負荷が抑制される。そして、例えば、無線基地局装置１００と、他の無線通信端末２０２とが無線で円滑に接続され得る。
【０１２５】
図１１は、図１に示された無線通信システム４００の第６動作例を示すシーケンス図である。この例では、無線基地局装置１００は、無線基地局装置１００に対する操作に従って、無線接続の開始処理を有効にする。
【０１２６】
例えば、無線基地局装置１００に対する操作が行われていない段階で、無線基地局装置１００は、ビーコン及びプローブ応答を送信しない。つまり、無線基地局装置１００の通信制御部１１２は、無線基地局装置１００に対する操作が行われていない段階で、無線基地局装置１００の通信インタフェース部１１３からビーコン及びプローブ応答を送信させない。
【０１２７】
具体的には、この例において、無線通信端末２０１は、プローブ要求を送信する（Ｓ６０１、Ｓ６０２）。つまり、無線通信端末２０１の通信制御部２１２は、通信インタフェース部２１３を介して、プローブ要求を送信する。このプローブ要求に対して、無線基地局装置１００は、プローブ応答を送信しない。つまり、無線基地局装置１００の通信制御部１１２は、無線基地局装置１００の通信インタフェース部１１３からプローブ応答を送信させない。
【０１２８】
その後、無線基地局装置１００は、無線基地局装置１００に対する操作を受け取る（Ｓ６０３）。具体的には、無線基地局装置１００の操作インタフェース部１１１は、無線通信端末２０１に対する操作を受け取る。そして、無線基地局装置１００は、無線基地局装置１００に対する操作を受け取った後、ビーコンを送信する（Ｓ６０４）。例えば、無線基地局装置１００の通信制御部１１２は、通信インタフェース部１１３を介して、ビーコンを送信する。無線基地局装置１００に対する操作とは、例えば、無線通信端末２０１のユーザまたは当該ユーザの要請を受けた当システムの管理者が無線基地局装置１００に備えられた操作ボタンを押すこと、等が挙げられる。
【０１２９】
そして、無線通信端末２０１は、プローブ要求を送信する（Ｓ６０５）。具体的には、無線通信端末２０１の通信制御部２１２は、通信インタフェース部２１３を介して、プローブ要求を送信する。このプローブ要求に対して、無線基地局装置１００は、無線通信端末２０１へプローブ応答を送信する（Ｓ６０６）。例えば、無線基地局装置１００の通信制御部１１２は、無線基地局装置１００の通信インタフェース部１１３を介して、無線通信端末２０１へプローブ応答を送信する。
【０１３０】
そして、無線通信端末２０１は、認証要求を無線基地局装置１００へ送信する（Ｓ６０７）。具体的には、無線通信端末２０１の通信制御部２１２は、通信インタフェース部２１３を介して、認証要求を無線基地局装置１００へ送信する。この認証要求に対して、無線基地局装置１００は、無線通信端末２０１へ認証応答を送信する（Ｓ６０８）。例えば、無線基地局装置１００の通信制御部１１２は、無線基地局装置１００の通信インタフェース部１１３を介して、無線通信端末２０１へ認証応答を送信する。
【０１３１】
そして、無線通信端末２０１は、アソシエーション要求を無線基地局装置１００へ送信する（Ｓ６０９）。具体的には、無線通信端末２０１の通信制御部２１２は、通信インタフェース部２１３を介して、アソシエーション要求を無線基地局装置１００へ送信する。
【０１３２】
このアソシエーション要求に対して、無線基地局装置１００は、無線通信端末２０１へアソシエーション応答を送信する（Ｓ６１０）。例えば、無線基地局装置１００の通信制御部１１２は、無線基地局装置１００の通信インタフェース部１１３を介して、無線通信端末２０１へアソシエーション応答を送信する。
【０１３３】
アソシエーション要求が接続要求に相当していてもよい。また、アソシエーション応答が接続許可又は接続拒否の応答に相当していてもよい。例えば、無線通信端末２０１が、接続要求に相当するアソシエーション要求を無線基地局装置１００へ送信し、無線基地局装置１００が、接続許可に相当するアソシエーション応答を無線通信端末２０１へ送信する。これにより、無線基地局装置１００と無線通信端末２０１とが無線で接続される。
【０１３４】
なお、接続要求は、プローブ要求、認証要求及びアソシエーション要求を包括していてもよいし、接続許可又は接続拒否の応答は、プローブ応答、認証応答及びアソシエーション応答を包括していてもよい。
【０１３５】
また、上記の説明における要求及び応答等が省略される場合がある。具体的には、ビーコンの送受信が行われる場合において、プローブ要求及びプローブ応答の送受信が省略される場合がある。また、プローブ要求及びプローブ応答の送受信が行われる場合において、ビーコンの送受信が省略される場合がある。また、認証要求及び認証応答が省略される場合がある。
【０１３６】
上記の動作では、無線基地局装置１００に対する操作が行われた後、無線接続の開始処理が有効になる。これにより、無線接続の開始が制限され、不要な無線接続が排除される。したがって、無線基地局装置１００における処理負荷が抑制される。また、無線通信の利用時に無線基地局装置１００に対して操作が行われることにより、適切な無線接続が構築される。
【０１３７】
図１２は、図１に示された無線通信システム４００の第７動作例を示すシーケンス図である。この例では、無線基地局装置１００は、図１１の例と同様に、無線基地局装置１００に対する操作に従って、無線接続の開始処理を有効にする。そして、この例では、さらに、無線基地局装置１００は、所定有効期間の経過後、無線接続の開始処理を無効にする。
【０１３８】
例えば、無線基地局装置１００に対する操作前、及び、無線基地局装置１００に対する操作から所定有効期間の経過後において、無線基地局装置１００は、ビーコン及びプローブ応答を送信しない。つまり、無線基地局装置１００に対する操作前、及び、操作から所定有効期間の経過後において、無線基地局装置１００の通信制御部１１２は、無線基地局装置１００の通信インタフェース部１１３からビーコン及びプローブ応答を送信させない。
【０１３９】
具体的には、無線通信端末２０１は、プローブ要求を送信する（Ｓ７０１、Ｓ７０２）。このプローブ要求に対して、無線基地局装置１００は、プローブ応答を送信しない。その後、無線基地局装置１００は、無線基地局装置１００に対する操作を受け取る（Ｓ７０３）。これらの処理（Ｓ７０１〜Ｓ７０３）は、図１１の例における処理（Ｓ６０１〜Ｓ６０３）と同様である。
【０１４０】
無線基地局装置１００は、無線基地局装置１００に対する操作を受け取った後、ビーコンを送信する（Ｓ７０４、Ｓ７０５）。具体的には、無線基地局装置１００の通信制御部１１２は、通信インタフェース部１１３を介して、ビーコンを送信する。その後、この例では、無線通信端末２０１からプローブ要求、認証要求及びアソシエーション要求が無線基地局装置１００で受信されずに、所定有効期間が経過している。
【０１４１】
例えば、無線通信端末２０１の自動接続が無効であるかもしれないし、通信可能範囲に無線通信端末２０１が存在しないかもしれない。このような場合に、無線通信端末２０１からプローブ要求、認証要求及びアソシエーション要求が無線基地局装置１００で受信されない。無線基地局装置１００は、所定有効期間の経過後、ビーコンの送信を停止する。所定有効期間は、例えば１分間であるが、任意に規定され得る。
【０１４２】
その後、無線通信端末２０１は、プローブ要求を送信する（Ｓ７０６、Ｓ７０７）。このプローブ要求に対して、無線基地局装置１００は、プローブ応答を送信しない。これらの処理（Ｓ７０６、Ｓ７０７）は、無線基地局装置１００に対する操作前の処理（Ｓ７０１、Ｓ７０２）と同様である。
【０１４３】
上記の動作では、無線基地局装置１００に対する操作から所定有効期間の経過後、無線接続の開始処理が無効になる。これにより、無線接続の開始が制限され、不要な無線接続が排除される。したがって、無線基地局装置１００における処理負荷が抑制される。
【０１４４】
図１３は、図１に示された無線通信システム４００の第８動作例を示すシーケンス図である。この例では、無線基地局装置１００は、無線基地局装置１００と無線通信端末２０１との無線通信を許可してから所定通信期間の経過後、無線基地局装置１００と無線通信端末２０１との無線接続を切断する。
【０１４５】
具体的には、まず、無線通信端末２０１は、無線基地局装置１００へ接続要求を送信する（Ｓ８０１）。接続要求に応じて、無線基地局装置１００は、無線通信端末２０１へ接続許可を送信する（Ｓ８０２）。これにより、無線基地局装置１００と無線通信端末２０１とが無線で接続される。
【０１４６】
その後、無線通信端末２０１は、無線通信端末２０１に対する操作を受け取る（Ｓ８０３）。そして、無線通信端末２０１は、無線通信端末２０１に対する操作に従って、通信要求を無線基地局装置１００へ送信する（Ｓ８０４）。そして、通信要求に応じて、無線基地局装置１００は、無線基地局装置１００と無線通信端末２０１との無線通信を許可し、無線通信端末２０１へ通信許可を送信する（Ｓ８０５）。
【０１４７】
その後、他の無線通信端末２０２が、無線基地局装置１００と無線通信端末２０２との無線接続の接続要求を送信する（Ｓ８０６）。この接続要求に対して、無線基地局装置１００は、接続拒否を無線通信端末２０２へ送信する（Ｓ８０７）。
【０１４８】
上記の処理（Ｓ８０１〜Ｓ８０７）は、図６の例における処理（Ｓ１０１〜Ｓ１０７）と同様である。
【０１４９】
この例において、無線基地局装置１００は、無線基地局装置１００と無線通信端末２０１との無線通信が許可されてから所定通信期間の経過後に、無線基地局装置１００と無線通信端末２０１との無線接続を切断する（Ｓ８０８）。具体的には、無線基地局装置１００の通信制御部１１２は、所定通信期間の経過時に、通信インタフェース部１１３を介して、無線接続を切断するための信号を無線通信端末２０１へ送信し、無線接続を切断する。所定接続期間は、例えば５分間であるが、任意に規定され得る。
【０１５０】
なお、所定通信期間の経過時に無線基地局装置１００と無線通信端末２０１とが無線通信の最中であれば、無線通信の後に、無線基地局装置１００と無線通信端末２０１との無線接続が切断されてもよい。また、所定通信期間は無線通信の状況に基づいて何らかの方法により延長されてもよい。何らかの方法とは、例えば、無線通信端末のユーザによる延長リクエストを無線基地局装置１００が受信すること等である。
【０１５１】
また、無線基地局装置１００の通信制御部１１２は、無線基地局装置１００と無線通信端末２０１との無線接続の切断に伴って、無線基地局装置１００と無線通信端末２０１との無線通信の許可を解除する。無線基地局装置１００の通信制御部１１２は、データの中継に関する無線通信の処理を無効にしてもよい。また、無線基地局装置１００の通信制御部１１２は、無線基地局装置１００と無線通信端末２０１との無線接続の切断に伴って、無線基地局装置１００と他の無線通信端末２０２との無線接続の禁止を解除する。
【０１５２】
この例では、無線基地局装置１００と無線通信端末２０１との無線接続の切断後、他の無線通信端末２０２が、無線基地局装置１００と無線通信端末２０２との無線接続の接続要求を送信する（Ｓ８０９）。この接続要求に対して、無線基地局装置１００は、接続許可を無線通信端末２０２へ送信する（Ｓ８１０）。これにより、無線基地局装置１００と無線通信端末２０２とが無線で接続される。
【０１５３】
その後、無線通信端末２０２は、無線通信端末２０２に対する操作を受け取る（Ｓ８１１）。そして、無線通信端末２０２は、無線通信端末２０２に対する操作に従って、通信要求を無線基地局装置１００へ送信する（Ｓ８１２）。そして、通信要求に応じて、無線基地局装置１００は、無線基地局装置１００と無線通信端末２０２との無線通信を許可し、無線通信端末２０２へ通信許可を送信する（Ｓ８１３）。これにより、無線基地局装置１００と無線通信端末２０２との無線通信が可能になる。
【０１５４】
上記の処理（Ｓ８０９〜Ｓ８１３）は、図７の例における処理（Ｓ２０４〜Ｓ２０８）と同様である。
【０１５５】
上記の動作では、所定通信期間が経過後に、無線基地局装置１００と無線通信端末２０１との無線接続が切断される。そして、無線基地局装置１００と無線通信端末２０１との無線接続の切断に伴って、無線基地局装置１００と無線通信端末２０１との無線通信の許可が解除され、無線基地局装置１００と他の無線通信端末２０２との無線接続の禁止が解除される。したがって、無線基地局装置１００は、無線通信端末２０１が無線基地局装置１００を専用し続けることを抑制することができる。
【０１５６】
図１４は、図１等に示された無線基地局装置１００の動作例を示すフローチャートである。
【０１５７】
まず、通信制御部１１２は、現時点が無線基地局装置１００に対する操作を操作インタフェース部１１１が受け付けた後の所定有効期間内であるか否かを判定する（Ｓ９０１）。通信制御部１１２は、現時点が所定有効期間内でない場合（Ｓ９０１でＮｏ）、無線接続の開始処理を無効にする（Ｓ９０３）。一方、通信制御部１１２は、現時点が所定有効期間内である場合（Ｓ９０１でＹｅｓ）、無線接続の開始処理を有効にする（Ｓ９０２）。
【０１５８】
無線接続の開始処理が有効である場合において、無線接続が行われる。例えば、無線基地局装置１００は、無線通信端末２０１と無線で接続する（Ｓ９０４）。そして、通信制御部１１２は、無線接続から所定接続期間が経過するまでに通信要求を受信しなかった場合（Ｓ９０５でＮｏ）、無線接続を切断し（Ｓ９１２）、再接続を禁止する（Ｓ９１３）。
【０１５９】
また、通信制御部１１２は、無線接続から所定接続期間が経過するまでに通信要求を受信した場合（Ｓ９０５でＹｅｓ）、無線通信を許可し（Ｓ９０６）、他の無線接続を禁止する（Ｓ９０７）。これにより、無線基地局装置１００は、無線通信を行う（Ｓ９０８）。例えば、無線基地局装置１００は、無線基地局装置１００に接続されている無線通信端末２０１と無線で通信する。そして、無線通信が許可されてから所定通信期間が経過するまで（Ｓ９０９でＮｏ）、無線基地局装置１００は、無線通信を行う。
【０１６０】
無線通信が許可されてから所定通信期間が経過した場合（Ｓ９０９でＹｅｓ）、通信制御部１１２は、無線接続を切断する（Ｓ９１０）。例えば、通信制御部１１２は、無線基地局装置１００と無線通信端末２０１とが無線で接続されている場合、無線基地局装置１００と無線通信端末２０１との無線接続を切断する。通信制御部１１２は、無線接続の切断に伴って、無線通信の許可を解除し、他の無線接続の禁止を解除する。
【０１６１】
無線基地局装置１００は、上記の動作を繰り返すことにより、複数の無線通信端末２０１、２０２等の中から、通信相手として適切な１台の無線通信端末と無線で接続し、１台の無線通信端末と無線で通信することができる。
【０１６２】
図１５は、図１等に示された無線通信端末２０１を操作するためのＧＵＩの表示例を示すイメージ図である。ここでは、無線通信端末２０１のＧＵＩが示されているが、他の無線通信端末２０２等のＧＵＩも同様である。
【０１６３】
例えば、無線通信端末２０１は、タッチパネル２２５に無線通信を行うためのアイコン２３１を表示する。そして、無線通信端末２０１は、無線基地局装置１００と無線通信端末２０１とが無線で接続されている状態においてタッチパネル２２５に表示されているアイコン２３１がタッチされた場合、通信要求を無線基地局装置１００へ送信する。無線基地局装置１００は、通信要求に従って、無線通信を許可する。これにより、無線基地局装置１００と無線通信端末２０１との無線通信が可能になる。
【０１６４】
無線通信端末２０１に対する操作に従って通信要求を無線基地局装置１００へ送信するプログラムは、無線通信端末２０１に予め搭載され、通信制御部２１２によって実行される。例えば、このプログラムは、操作に従って通信要求を送信するための専用のプログラムである。通信制御部２１２は、専用のプログラムを実行することにより、シンプルな操作に従って通信要求を送信することができる。
【０１６５】
また、例えば、印刷用のアプリケーションプログラムに、操作に従って通信要求を送信するための専用のプログラムが組み込まれていてもよい。そして、印刷用のアプリケーションプログラムにより表示されるＧＵＩの印刷ボタンを押す等の操作に従って印刷が行われる際に、通信要求が送信されてもよい。このような仕組みは、印刷以外の他の用途にも適用可能であり、例えばファイル操作等にも適用可能である。
【０１６６】
また、専用のプログラムに限らず、汎用的なプログラムが通信要求の送信に利用されてもよい。例えば、Ｗｅｂページを閲覧するための汎用的なプログラムであるブラウザが利用されてもよい。そして、無線通信端末２０１は、無線通信端末２０１に対する操作をブラウザで受け付けて、無線基地局装置１００にアクセスし、通信要求を無線基地局装置１００に送信してもよい。
【０１６７】
これにより、専用のプログラムが無線通信端末２０１に搭載されていなくても、無線通信端末２０１は、通信要求を無線基地局装置１００へ送信することができる。
【０１６８】
なお、無線基地局装置１００は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして、動作してもよい。そして、無線基地局装置１００は、無線通信端末２０１から通信要求を受信した際に、ＩＰアドレス等を無線通信端末２０１に割り当てることにより、無線基地局装置１００と無線通信端末２０１との無線通信を可能にしてもよい。これにより、無線基地局装置１００は、無線基地局装置１００と無線通信端末２０１との無線通信を適切に許可することができる。
【０１６９】
また、無線基地局装置１００と無線通信端末２０１との無線通信には、汎用の通信プロトコルではなく、専用の通信プロトコルが用いられてもよい。例えば、ＴＣＰ／ＩＰの上位層における独自の通信プロトコルが、無線基地局装置１００と無線通信端末２０１との無線通信に用いられてもよい。
【０１７０】
以上、本発明の一態様における無線基地局装置１００及び無線通信システム４００等について、実施の形態等に基づいて説明したが、本発明は、上記の実施の形態等に限定されない。上記の実施の形態等に対して当業者が思いつく変形を施して得られる形態、及び、上記の実施の形態等における複数の構成要素を任意に組み合わせて実現される別の形態も本発明に含まれる。
【０１７１】
例えば、特定の構成要素が実行する処理を別の構成要素が実行してもよい。また、処理を実行する順番が変更されてもよいし、複数の処理が並行して実行されてもよい。また、図６〜図１４に示された各動作は、一例であって、図６〜図１４に示された複数の動作が組み合わされて実行されてもよいし、これらの動作の一部が実行されてもよい。
【０１７２】
また、無線基地局装置１００、無線通信端末２０１、２０２及び無線通信システム４００に含まれる構成要素は、適宜変更され得る。例えば、無線通信システム４００は、無線基地局装置１００及び無線通信端末２０１のみを備えていてもよい。他の装置は、他のシステムに含まれていてもよいし、存在しなくてもよい。また、例えば、無線基地局装置１００は、通信制御部１１２及び通信インタフェース部１１３のみを備えていてもよい。操作インタフェース部１１１は、存在しなくてもよい。
【０１７３】
また、本発明は、無線基地局装置１００又は無線通信システム４００として実現できるだけでなく、無線基地局装置１００又は無線通信システム４００を構成する各構成要素が行うステップ（処理）を含む方法として実現できる。
【０１７４】
例えば、それらのステップは、コンピュータ装置によって実行されてもよい。このコンピュータ装置は、無線基地局装置１００に相当する装置でもよい。そして、本発明は、それらの方法に含まれるステップを、コンピュータ装置に実行させるためのプログラムとして実現できる。さらに、本発明は、そのプログラムを記録したＣＤ−ＲＯＭ等である非一時的なコンピュータ読み取り可能な記録媒体として実現できる。
【０１７５】
例えば、本発明が、プログラム（ソフトウェア）で実現される場合には、コンピュータ装置のプロセッサ及びメモリ等のハードウェア資源を利用してプログラムが実行されることによって、各ステップが実行される。つまり、プロセッサがデータをメモリ等から取得して演算したり、演算結果をメモリ等に出力したりすることによって、各ステップが実行される。
【０１７６】
また、無線基地局装置１００等に含まれる複数の構成要素は、それぞれ、専用又は汎用の回路として実現されてもよい。これらの構成要素は、１つの回路として実現されてもよいし、複数の回路として実現されてもよい。
【０１７７】
また、無線基地局装置１００等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部又は全てを含むように１チップ化されてもよい。ＬＳＩは、集積度の違いにより、システムＬＳＩ、スーパーＬＳＩ又はウルトラＬＳＩと呼称される場合がある。
【０１７８】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続及び設定が再構成可能なリコンフィギュラブル・プロセッサが、利用されてもよい。
【０１７９】
さらに、半導体技術の進歩又は派生する別技術によりＬＳＩに置き換わる集積回路化の技術が登場すれば、当然、その技術を用いて、無線基地局装置１００等に含まれる複数の構成要素の集積回路化が行われてもよい。
【０１８０】
以下、本発明の一態様における無線基地局装置１００等の基本的な構成、変形例及び効果等を示す。
【０１８１】
（１）本発明の一態様における無線基地局装置１００は、無線通信を行う無線基地局装置であって、通信インタフェース部１１３と、通信制御部１１２とを備える。通信インタフェース部１１３は、無線信号の送受信を行う。通信制御部１１２は、通信インタフェース部１１３を介して行われる無線通信を制御する。
【０１８２】
そして、通信制御部１１２は、無線基地局装置１００と無線通信端末２０１とが無線で接続されてから所定接続期間が経過するまでに、通信要求が無線基地局装置１００で受信された場合、無線基地局装置１００と無線通信端末２０１との無線通信を許可する。また、通信制御部１１２は、無線基地局装置１００と無線通信端末２０１とが無線で接続されてから所定接続期間が経過するまでに、通信要求が無線基地局装置１００で受信されなかった場合、無線基地局装置１００と無線通信端末２０１との無線接続を切断する。
【０１８３】
ここで、通信要求は、無線基地局装置１００と無線通信端末２０１との無線通信の要求であり無線通信端末２０１に対する操作に従って無線通信端末２０１から送信される要求である。そして、通信制御部１１２は、無線基地局装置１００と無線通信端末２０１との無線通信が許可されている間、無線基地局装置１００と他の無線通信端末２０２との無線接続を禁止する。
【０１８４】
これにより、無線基地局装置１００は、通信相手として適切な１台の無線通信端末と排他的に無線通信を行うことができる。したがって、無線基地局装置１００は、無線通信に関するセキュリティを向上させることができる。
【０１８５】
（２）例えば、通信制御部１１２は、無線基地局装置１００と他の無線通信端末２０２との無線接続の切断及び拒否により、無線基地局装置１００と他の無線通信端末２０２との無線接続を禁止してもよい。
【０１８６】
ここで、無線基地局装置１００と他の無線通信端末２０２との無線接続の切断は、無線基地局装置１００と他の無線通信端末２０２とが無線で接続されている場合に無線基地局装置１００と他の無線通信端末２０２との無線接続を切断することを意味する。また、無線基地局装置１００と他の無線通信端末２０２との無線接続の拒否は、無線基地局装置１００と他の無線通信端末２０２とが無線で接続されていない場合に無線基地局装置１００と他の無線通信端末２０２との新たな無線接続を拒否することを意味する。
【０１８７】
これにより、無線基地局装置１００は、不要な無線接続を適切に排除することができ、排他的な無線通信を適切に行うことができる。
【０１８８】
（３）例えば、通信制御部１１２は、無線基地局装置１００と無線通信端末２０１とが無線で接続されてから通信要求が無線基地局装置１００で受信されるまでの間、無線基地局装置１００と他の無線通信端末２０２との無線接続を許可してもよい。そして、通信制御部１１２は、通信要求が無線基地局装置１００で受信されて、無線基地局装置１００と無線通信端末２０１との無線通信を許可する際に、無線基地局装置１００と他の無線通信端末２０２との無線接続の禁止を開始してもよい。
【０１８９】
これにより、無線基地局装置１００は、通信要求が受信されるまで、無線基地局装置１００と複数の無線通信端末との無線接続を許可することができる。したがって、無線基地局装置１００は、複数の無線通信端末のうちのいずれか１つから通信要求を適切に受信することができる。
【０１９０】
（４）例えば、通信制御部１１２は、無線基地局装置１００と無線通信端末２０１とが無線で接続される際に、無線基地局装置１００と他の無線通信端末２０２との無線接続の禁止を開始してもよい。これにより、無線基地局装置１００は、無線接続を排他的に行うことができ、排他的な無線通信を適切に行うことができる。また、無線通信が行われない不要な無線接続は所定接続期間の経過後に切断されるため、無線通信を行うための無線接続が排他的な他の無線接続によって妨げられる弊害は抑制される。
【０１９１】
（５）例えば、通信制御部１１２は、所定接続期間が経過するまでに通信要求が受信されなかった場合、無線基地局装置１００と無線通信端末２０１との無線接続の切断後、無線基地局装置１００と無線通信端末２０１との新たな無線接続を拒否してもよい。これにより、無線基地局装置１００は、無線基地局装置１００と、不要な無線接続が繰り返されることを抑制することができる。したがって、無線基地局装置１００は、不要な無線接続を適切に排除することができる。
【０１９２】
（６）例えば、無線基地局装置１００は、さらに、無線基地局装置１００に対する操作を受け取る操作インタフェース部１１１を備えていてもよい。そして、通信制御部１１２は、無線基地局装置１００に対する操作が受け取られてから所定有効期間が経過するまで、無線基地局装置１００と無線通信端末２０１との無線接続の開始処理を有効にしてもよい。そして、通信制御部１１２は、所定有効期間が経過した後、無線基地局装置１００と無線通信端末２０１との無線接続の開始処理を無効にしてもよい。
【０１９３】
これにより、無線基地局装置１００は、無線接続が開始する期間を制限することができ、無駄な無線接続を抑制することができる。
【０１９４】
（７）例えば、通信制御部１１２は、所定有効期間が経過するまで、無線基地局装置１００からビーコン及びプローブ応答のうち少なくとも一方を送信させることにより、無線基地局装置１００と無線通信端末２０１との無線接続の開始処理を有効にしてもよい。また、通信制御部１１２は、所定有効期間が経過した後、無線基地局装置１００からビーコン及びプローブ応答を送信させないことにより、無線基地局装置１００と無線通信端末２０１との無線接続の開始処理を無効にしてもよい。
【０１９５】
これにより、無線基地局装置１００は、所定有効期間の経過後、無線接続の開始を適切に禁止することができる。
【０１９６】
（８）例えば、通信制御部１１２は、無線基地局装置１００と無線通信端末２０１との無線通信が許可されてから所定通信期間が経過した後、無線基地局装置１００と無線通信端末２０１との無線接続を切断してもよい。そして、通信制御部１１２は、無線接続を切断する際、無線基地局装置１００と無線通信端末２０１との無線通信の許可を解除し、無線基地局装置１００と他の無線通信端末２０２との無線接続の禁止を解除してもよい。
【０１９７】
これにより、無線基地局装置１００は、１台の無線通信端末が無線基地局装置１００を専用し続けることを抑制することができる。
【０１９８】
（９）本発明の一態様における無線通信システム４００は、無線基地局装置１００と、無線通信端末２０１とを備える。そして、無線通信端末２０１は、通信要求を無線通信端末２０１に対する操作に従って送信するためのプログラムを実行することにより、通信要求を無線通信端末２０１に対する操作に従って送信する。
【０１９９】
これにより、無線通信システム４００は、無線通信端末２０１に対する操作に従って無線通信端末２０１から通信要求を適切に送信することができ、無線基地局装置１００において通信要求を適切に受信することができる。
【０２００】
（１０）本発明の一態様における通信制御方法では、無線基地局装置１００と無線通信端末２０１との無線接続から所定接続期間経過までに通信要求が無線基地局装置１００で受信された場合、無線基地局装置１００と無線通信端末２０１との無線通信を許可する。ここで、通信要求は、無線基地局装置１００と無線通信端末２０１との無線通信の要求であり無線通信端末２０１に対する操作に従って無線通信端末２０１から送信される要求である。
【０２０１】
また、この通信制御方法では、所定接続期間経過までに通信要求が無線基地局装置１００で受信されなかった場合、無線基地局装置１００と無線通信端末２０１との無線接続を切断する。そして、この通信制御方法では、無線基地局装置１００と無線通信端末２０１との無線通信が許可されている間、無線基地局装置１００と他の無線通信端末２０２との無線接続を禁止する。
【０２０２】
これにより、この通信制御方法を用いる装置等は、通信相手として適切な１台の無線通信端末と排他的に無線通信を行うことができる。したがって、この通信制御方法を用いる装置等は、無線通信に関するセキュリティを向上させることができる。
【産業上の利用可能性】
【０２０３】
本発明の一態様における無線基地局装置等は、通信相手として適切な１台の無線通信端末と排他的に無線通信を行うことができる無線基地局装置等として利用可能であり、例えば印刷システム及びファイル共有システム等に適用可能である。
【符号の説明】
【０２０４】
１００  無線基地局装置
１１１、２１１  操作インタフェース部
１１２、２１２  通信制御部
１１３、２１３  通信インタフェース部
１２１、２２１  アンテナ
１２２  接続端子
１２３、２２３  プロセッサ
１２４、２２４  メモリ
１２５  操作ボタン
２０１、２０２  無線通信端末
２２５  タッチパネル
２３１  アイコン
３０１  ファイルサーバ
３０２  プリンタ
３０３  通信線
４００  無線通信システム
【図１】
2019009717.tif 000003
【図２】
2019009717.tif 000004
【図３】
2019009717.tif 000005
【図４】
2019009717.tif 000006
【図５】
2019009717.tif 000007
【図６】
2019009717.tif 000008
【図７】
2019009717.tif 000009
【図８】
2019009717.tif 000010
【図９】
2019009717.tif 000011
【図１０】
2019009717.tif 000012
【図１１】
2019009717.tif 000013
【図１２】
2019009717.tif 000014
【図１３】
2019009717.tif 000015
【図１４】
2019009717.tif 000016
【図１５】
2019009717.tif 000017